(57)【要約】      （修正有）【課題】記録カードの洗浄を行うシンプルで小型の記録カード洗浄装置を提供する。【解決手段】記録カードが載置されるカードホルダ２０と、塗布部材３６で記録カードに洗浄液を塗布する塗布部と、回転する洗浄部材４４により記録カードを押圧しながら洗浄する洗浄部と、下拭き取りローラ６２により記録カードの拭き取りと搬送を行う拭き取り部と、洗浄部と拭き取り部との間に設けられ、記録カードの洗浄面を押圧するガイドローラ５０と、表面に突起部１９を有する無端形状の搬送ベルト１１を有する。また、搬送ベルト１１が回転駆動され、突起部１９が記録カードの後端に当接することにより、記録カードをカードホルダ２０からガイドローラ５０へ搬送する搬送レールを有する搬送部と、を備え、下拭き取りローラ６２が記録カードを搬送する速度は、搬送ベルト１１の突起部１９が記録カードを搬送する速度よりも速い。【選択図】図３
0003212530.tif 000002
【実用新案登録請求の範囲】
【請求項１】
洗浄される記録カードが載置される載置部と、
洗浄液が供給された塗布部材を有し、前記塗布部材で前記記録カードの洗浄面に前記洗浄液を塗布する塗布部と、
回転する洗浄部材を有し、前記洗浄部材により前記記録カードの前記洗浄面を押圧しながら洗浄する洗浄部と、
拭き取り部材を巻き付けた拭き取りローラを有し、前記拭き取りローラにより前記記録カードの拭き取りと搬送を行う拭き取り部と、
前記洗浄部と前記拭き取り部との間に設けられ、搬送される前記記録カードの反りを抑えるために前記記録カードの前記洗浄面を押圧するガイドローラと、
前記記録カードを前記載置部から前記ガイドローラまで搬送する搬送路を有する搬送部であって、前記搬送路は、表面に突起部を有する無端形状の搬送ベルトを有し、前記搬送ベルトが回転駆動され、前記突起部が前記記録カードの搬送方向の後端に当接することにより、前記記録カードを前記載置部から前記ガイドローラへ搬送する前記搬送部と、
を備え、
前記拭き取りローラが前記記録カードを搬送する速度は、前記搬送ベルトの前記突起部が前記記録カードを搬送する速度よりも速いことを特徴とする記録カード洗浄装置。
【請求項２】
前記搬送部は、前記搬送ベルトにより回転する従動ローラを有し、
前記拭き取りローラは、第１のプーリを有し、
前記従動ローラは、第２のプーリを有し、
前記第１のプーリと前記第２のプーリとは、ベルトを介して接続されており、
前記第１のプーリの径は、前記第２のプーリの径よりも小さいことを特徴とする請求項１に記載の記録カード洗浄装置。
【請求項３】
前記装置は、所定の枚数の前記記録カードの洗浄を行うと、動作を停止することを特徴とする請求項１又は請求項２に記載の記録カード洗浄装置。
【考案の詳細な説明】
【技術分野】
【０００１】
本考案は、記録カード洗浄装置に関する。
【背景技術】
【０００２】
磁気カードやＩＣカード等の記録カードは繰り返し使用可能であるが、繰り返し使用するうちにカードの表面に汚れが生じることがある。再利用するために、消毒を兼ねてアルコールを浸した布等で記録カードの表裏を拭いて汚れを落とす作業が手作業で行われていたが、人手と作業時間を要していた。そこで、効率よく記録カードの汚れを落とすため、磁気カード等の記録カードを洗浄する装置が提案されている（例えば、特許文献１参照）。
【先行技術文献】
【特許文献】
【０００３】
【特許文献１】特許第２６３１９７０号公報
【考案の概要】
【考案が解決しようとする課題】
【０００４】
しかしながら、従来例では、記録カードを搬送するために複数の回転駆動ローラ及びガイドローラ群が搬送路に設けられており、その結果、搬送機構が複雑になり、装置全体が大きくなってしまうという課題が生じている。
【０００５】
本考案は、上記の事情に鑑みてなされたもので、記録カードの洗浄を行うシンプルで小型の記録カード洗浄装置を提供することを例示的課題とする。
【課題を解決するための手段】
【０００６】
上記の課題を解決するために、本考案は以下の趣旨を有する。
【０００７】
［趣旨１］
洗浄される記録カードが載置される載置部と、
洗浄液が供給された塗布部材を有し、前記塗布部材で前記記録カードの洗浄面に前記洗浄液を塗布する塗布部と、
回転する洗浄部材を有し、前記洗浄部材により前記記録カードの前記洗浄面を押圧しながら洗浄する洗浄部と、
拭き取り部材を巻き付けた拭き取りローラを有し、前記拭き取りローラにより前記記録カードの拭き取りと搬送を行う拭き取り部と、
前記洗浄部と前記拭き取り部との間に設けられ、搬送される前記記録カードの反りを抑えるために前記記録カードの前記洗浄面を押圧するガイドローラと、
前記記録カードを前記載置部から前記ガイドローラまで搬送する搬送路を有する搬送部であって、前記搬送路は、表面に突起部を有する無端形状の搬送ベルトを有し、前記搬送ベルトが回転駆動され、前記突起部が前記記録カードの搬送方向の後端に当接することにより、前記記録カードを前記載置部から前記ガイドローラへ搬送する前記搬送部と、
を備え、
前記拭き取りローラが前記記録カードを搬送する速度は、前記搬送ベルトの前記突起部が前記記録カードを搬送する速度よりも速い。
【０００８】
［趣旨２］
前記搬送部は、前記搬送ベルトにより回転する従動ローラを有し、
前記拭き取りローラは、第１のプーリを有し、
前記従動ローラは、第２のプーリを有し、
前記第１のプーリと前記第２のプーリとは、ベルトを介して接続されており、
前記第１のプーリの径は、前記第２のプーリの径よりも小さくてもよい。
【０００９】
［趣旨３］
前記装置は、所定の枚数の前記記録カードの洗浄を行うと、動作を停止してもよい。
【００１０】
本考案の更なる目的又はその他の特徴は、以下添付図面を参照して説明される好ましい実施の形態によって明らかにされるであろう。
【考案の効果】
【００１１】
本考案によれば、記録カードの洗浄を行うシンプルで小型の記録カード洗浄装置を提供することができる。
【図面の簡単な説明】
【００１２】
【図１】実施形態の記録カード洗浄装置の斜視図
【図２】実施形態の記録カード洗浄装置の上面図
【図３】実施形態の記録カード洗浄装置の正面図
【図４】実施形態の記録カード洗浄装置の側面図
【考案を実施するための形態】
【００１３】
［実施形態］
（記録カード洗浄装置の構成）
図１〜図４は、本考案の実施形態に係る記録カード洗浄装置の全体構成を示す図である。図１は、記録カード洗浄装置の全体構成を示す斜視図である。図２は、記録カード洗浄装置を図１の上方向から見たときの装置構成を示す上面図（模式図）である。図３は、記録カード洗浄装置を図２のＡ−Ａ切断面（図中、一点鎖線で示す）で切断したときの断面を示す正面図（模式図）である。図４は、記録カード洗浄機を図１の左方向から右方向に向かって見たときの装置構成を示す側面図（模式図）である。
【００１４】
記録カード洗浄装置は、記録カード３を搬送する搬送部と、洗浄する記録カード３が載置されるカード載置部と、記録カード３に洗浄液を塗布する洗浄液塗布部と、記録カード３を洗浄する洗浄部と、記録カード３の汚れや洗浄液を拭き取る拭き取り部と、から構成されている。そして、記録カード洗浄装置では、回転駆動される搬送部の搬送ベルト１１（以下、ベルト１１という）により、カード載置部であるカードホルダ２０に載置された記録カード３を順次、ベルト１１の回転方向下流側に設置された洗浄液を塗布する洗浄液塗布部の塗布部材３６、記録カード３の表面を洗浄する洗浄部の洗浄部材４４、記録カード３の表面を拭き取る拭き取り部の拭き取りローラ６２、６３へと搬送することにより、記録カード３の洗浄が行われる。記録カード洗浄装置で洗浄される記録カード３は、例えば磁気カードやＩＣカード、パチンコ遊技場等で使用される景品カードでもよい。以下では、記録カード洗浄装置を構成する各部の構成について、図１〜図４を参照して詳細に説明する。
【００１５】
（搬送部）
搬送部は、図１、図２に示すように、溝部１４とカード搬送面１２と搬送ガイド面１３を有する搬送レール１０と、溝部１４に設置された無端形状のベルト１１から構成されている。搬送レール１０を構成する溝部１４、カード搬送面１２、搬送ガイド面１３は、それぞれ高さの異なる平面であり、中央部に設けられた溝部１４にはベルト１１が設置されている。溝部１４の両側に設けられたカード搬送面１２は、ベルト１１により搬送される記録カード３の下側の面（記録カード３の洗浄面とは反対側の面）が当接する面である。カード搬送面１２の外側には搬送ガイド面１３が設けられている。カード搬送面１２と搬送ガイド面１３とを結び、搬送される記録カード３のガイドを行う立ち壁部２１の高さは、記録カード３の厚さと同じである。これにより、搬送される記録カード３の洗浄面と、搬送ガイド面１３とが同じ高さとなるように構成されている。また、搬送レール１０の両側に設けられた搬送ガイド面１３間の距離は、記録カード３の搬送方向と直交する方向の長さ（以下、記録カード３の幅という）よりも僅かに広く、記録カード３の幅方向の端部と立ち壁部２１との間に僅かな隙間ができる程度である。
【００１６】
ベルト１１は、図３に示すように、駆動ローラ１６と従動ローラ１７により支持され、駆動モータ１５（図２中、破線で示す）によりエンドレスで回転駆動され、カードホルダ２０から塗布部材３６の方向に記録カード３が搬送されるよう、反時計回り方向（図３の矢印方向）に回転する。なお、駆動モータ１５は、本実施形態ではステッピングモータを用いている。ベルト１１の表面には、ベルト１周のうちに複数の突起部１９が設けられている。なお、本実施形態では、５箇所の突起部１９が設けられている。突起部１９と突起部１９と間隔は、記録カード３の搬送方向の長さ（以下、記録カード３の長さという）よりも大きい。ベルト１１の表面は、記録カード３には接触しておらず、カードホルダ２０に載置された記録カード３は、ベルト１１に設けられた突起部１９に後端を押されることによりカードホルダ２０から押し出され、搬送が開始される。これにより、本実施形態では、ベルト１１が１回転することにより、５枚の記録カード３が搬送され、洗浄が行われることになる。なお、本実施形態では、突起部１９の高さは、記録カード３の上側の面（記録カード３の洗浄面）と同じ高さとなるように設定されているが、それよりも高さが低くてもよい。なお、本実施形態のベルト１１は、ＣＲゴムで作成されている。
【００１７】
（カード載置部）
洗浄する記録カード３が載置されるカード載置部は、図１に示すように、ベルト１１の移動方向の上流側と下流側に対向するように設置された２つの部材から構成されるカードホルダ２０である。２つの部材の距離は、記録カード３の長さに合わせた距離であり、カードホルダ２０には洗浄する面を上側にして記録カード３が載置される。最初にカードホルダ２０に載置される記録カード３は、搬送レール１０のカード搬送面１２に直接、載置される。以降、記録カード３は、先に載置された記録カード３の上に積載されていく。なお、本実施形態では、スタートボタン２が押下される毎に、２０枚の記録カード３の洗浄が行われるため、カードホルダ２０には記録カード３が２０枚載置可能となっている。そして、カードホルダ２０に載置された記録カード３は、上述したベルト１１の突起部１９により、１枚ずつ搬送される。
【００１８】
（洗浄液塗布部）
洗浄液塗布部は、図１に示すように、記録カード３に洗浄液を塗布する塗布部材３６と、塗布部材３６に洗浄液を供給する洗浄液供給部から構成されている。洗浄液供給部は、容器台３０に設置された洗浄液容器３１、洗浄液の供給、供給停止を行うコック３２、洗浄液の供給量を調整するローラクランプ３３、洗浄液が流れるチューブ３４を支持するチューブ支持部３５から構成されている。洗浄液容器３１は、筐体１上に３つの脚部で支持された容器台３０に設置され、容器の下部からチューブ３４を介して塗布部材３６に洗浄液を供給する。チューブ３４の途中に設けられたコック３２は、開けることにより洗浄液が塗布部材３６に供給され、閉めることにより塗布部材３６への洗浄液の供給が遮断される。
【００１９】
また、ローラクランプ３３は、チューブ３４を流れる洗浄液の流量を調整するために設けられている。ローラクランプ３３は、所定量の洗浄液が流れるように流量設定を行うと、ユーザが設定変更できないようにローラ部は溶剤で固定される。また、チューブ支持部３５は、一端を筐体１に支持され、他端は塗布部材３６の中央付近までの長さを有し、チューブ３４の先端ノズル部分が固定される構成となっている。チューブ３４の先端ノズルからは、洗浄液容器３１からの洗浄液が塗布部材３６に供給される。
【００２０】
塗布部材３６は、中心部が中空でロール形状の、液浸透性を有する弾性部材である吸水スポンジであり、一端を筐体１に支持された不図示の軸部に中空の中心部を差し込む構成となっている。塗布部材３６は、吸水スポンジで作成されているため、チューブ３４の先端ノズルから供給される洗浄液は、塗布部材３６の中央部から周辺部に向かって拡散され、塗布部材３６全体が洗浄液で満たされることになる。なお、本実施形態では、塗布部材３６は、ポリエステル繊維で作成されている。
【００２１】
また、塗布部材３６の長さは、記録カード３が通過する際に、記録カード３の幅方向に洗浄液が塗布されるように、カード搬送面１２の幅と同じ、又はそれ以上の長さとしている。そして、カードホルダ２０からベルト１１により搬送される記録カード３は、塗布部材３６を通過する際に、塗布部材３６に対向する面（洗浄面）に洗浄液が塗布される。なお、塗布部材３６と搬送される記録カード３の洗浄面との間には、僅かな隙間が設けられているため、塗布部材３６と記録カード３とは接触しておらず、塗布部材３６が記録カード３を押圧することはない。
【００２２】
（洗浄部）
洗浄部は、図１に示すように、記録カード３に塗布された洗浄液を使って記録カード３の表面を洗浄する洗浄部材４４と、記録カード３を洗浄するために洗浄部材４４を回転させる回転部から構成されている。回転部は、洗浄ローラ４３を回転させるモータ４０と、モータ４０が固定されたモータ支持板４１と、基部が筐体１に固定され、頂部がモータ支持板４１と４箇所でねじ止めされる洗浄支持部４２から構成されている。モータ４０の回転軸の先端には、図３に示すように、洗浄ローラ４３が取り付けられている。モータ４０には、本実施形態では、ブラシレスモータが用いられている。また、洗浄ローラ４３には、マジックテープ（登録商標）を介して円形状の弾性部材で作成された洗浄部材４４が接続されている。本実施形態では、洗浄部材４４にはメラミンスポンジが用いられている。円形状の洗浄部材４４の直径は、記録カード３の幅方向が洗浄可能となるように、カード搬送面１２の幅と同じ長さである。
【００２３】
洗浄部へ搬送された記録カード３は、モータ４０により回転する洗浄部材４４により、塗布部材３６により塗布された洗浄液で記録カード３の表面の汚れが落とされる。なお、洗浄効果を上げるため、洗浄部材４４は記録カード３の洗浄面を押圧しており、押圧の度合いは、モータ支持板４１を洗浄支持部４２に固定する４箇所のねじ４５の締め具合で調整される。また、洗浄部材４４は、洗浄ローラ４３の回転方向に回転しているため、記録カード３は、洗浄部材４４により洗浄される際に洗浄部材４４と同じ回転方向に付勢されることになる。前述したように、記録カード３の幅方向の端部は、カード搬送面１２と搬送ガイド面１３との間の立ち壁部２１によりガイドされるため、記録カード３は、回転することなく、カード搬送面１２を搬送方向下流側へ搬送される。
【００２４】
洗浄部を通過した記録カード３は、次に拭き取り部へと搬送されるが、記録カード３の反り状態が大きい場合には、記録カード３の先端が拭き取り部の２つのローラの間に設けられた空間から外れた位置に搬送され、拭き取り部のローラに弾かれてしまう場合がある。そのため、洗浄部の搬送路下流側の記録カード３の幅方向の両方の端部近傍に、記録カード３の反りを押さえて、記録カード３の先端が拭き取り部へ円滑に導入されるようにするために、ガイドローラ５０を設けている。なお、搬送レール１０は、拭き取り部まで延びていない。そのため、記録カード３を搬送するベルト１１は、拭き取り部の手前で従動ローラ１７に沿って駆動ローラ１６の方向へ移動する構成となっている（図３参照）。
【００２５】
（拭き取り部）
記録カード３の表面の汚れや付着した洗浄液を拭き取る拭き取り部は、図１に示すように、基部を筐体１に固定された拭き取り支持部６１に、上下方向に設けられた下拭き取りローラ６２（下側）と上拭き取りローラ６３（上側）から構成されている。下拭き取りローラ６２及び上拭き取りローラ６３は表面に吸水スポンジを有しており、それぞれ洗浄部から搬送された記録カード３の下面及び上面に付着した汚れや洗浄液の拭き取りを行う。なお、本実施形態の吸水スポンジには、ポリウレタンを用いている。
【００２６】
また、下拭き取りローラ６２の回転軸には、第１のプーリであるプーリ６４（図３中、破線で示す）が固定されている。上述したベルト１１の移動に伴い回転する従動ローラ１７の回転軸には、第２のプーリであるプーリ１８（図３中、破線で示す）が固定され、ベルト６５（図３中、破線で示す）を介してプーリ６４と接続されている。これにより、従動ローラ１７の回転に伴い、下拭き取りローラ６２も回転する構成となっている。なお、本実施形態では、プーリ１８の径はプーリ６４の径の３倍であり、下拭き取りローラ６２は従動ローラ１７の３倍の回転速度で回転する構成となっている。したがって、記録カード３が下拭き取りローラ６２により搬送される速度は、記録カード３がベルト１１により搬送される速度、すなわちベルト１１の突起部１９により搬送される速度よりも速い。
【００２７】
また、上拭き取りローラ６３と下拭き取りローラ６２との間には記録カード３の厚さよりも狭い隙間が設けられている。そのため、上拭き取りローラ６３は下拭き取りローラ６２とは当接していないが、記録カード３が拭き取り部に搬送されると、上拭き取りローラ６３は記録カード３の上面と当接し、下拭き取りローラ６２が記録カード３の下面に当接して記録カード３を搬送する回転に合わせて従動回転する。そして、拭き取り部を通過した記録カード３は、シュータ７０を滑って排出される。
【００２８】
図１では、シュータ７０の先には、洗浄された記録カード３を収容するカードスタッカ８０が取り付けられている。カードスタッカ８０は、拭き取り部から排出される記録カード３を順次、積層して収容する。なお、カードスタッカ８０は、シュータ７０に着脱自在に取り付けられ、洗浄済みの記録カード３の取り出しを容易にしている。また、カードスタッカ８０は、記録カード３を使用する他の機器の載置部としてそのまま使用される場合には、記録カード３の挿入作業等の手間を省くことができ、作業の効率化を図ることができる。
【００２９】
（記録カード洗浄装置の動作）
次に、記録カード洗浄装置の動作について説明する。本実施形態の記録カード洗浄装置は、所定の枚数の記録カード３を洗浄すると、自動的に動作を停止する構成を有している。本実施形態では、所定の枚数は２０枚としており、この枚数は、カードスタッカ８０に積載可能な枚数であるが、この枚数に限定されるものではなく、使用するカードスタッカ８０の積載可能な記録カード３の枚数や、カードスタッカ８０に積載された記録カード３を入力する他の装置の仕様に応じて変更してもよい。また、記録カード３の洗浄に先立ち、予めコック３２を操作して、容器台３０にセットされた洗浄液容器３１からローラクランプ３３、チューブ３４を経由して、塗布部材３６に洗浄液の供給を開始しておくこととする。
【００３０】
洗浄に際して、洗浄する面を上向きにして、洗浄を行う記録カード３をカードホルダ２０に載置する。続いて、筐体１に設けられたスタートボタン２を押下する。不図示のコントローラはスタートボタン２が押下されたことを検知すると、駆動モータ１５を駆動してベルト１１の回転を開始すると共に、モータ４０を駆動して洗浄ローラ４３及び洗浄部材４４の回転を開始する。
【００３１】
上述したように、ベルト１１には複数の突起部１９が設けられている。駆動モータ１５によりベルト１１の回転が開始されても、ベルト１１の表面はカードホルダ２０の最下部、すなわちカード搬送面１２に載置された記録カード３に接触していないため、記録カード３は搬送されない。ベルト１１の回転により突起部１９がカードホルダ２０へと進むと、カードホルダ２０の最下部に載置された記録カード３の後端に当接し、突起部１９が搬送方向へ移動するのに伴い、記録カード３も突起部１９の移動方向へ移動する。そして、最下部の記録カード３がカードホルダ２０から押し出されると、押し出された記録カード３の上に載置されていた記録カード３が最下部へと移動する。次の突起部１９がカードホルダ２０へと移動してくると、先行する記録カード３と同様に、最下部に移動した記録カード３は、突起部１９によりカードホルダ２０から押し出される。このようにして、カードホルダ２０に載置された記録カード３は、順次、洗浄液塗布部へと搬送される。
【００３２】
突起部１９によりカードホルダ２０から押し出された記録カード３は、塗布部材３６へと搬送される。塗布部材３６には、容器台３０にセットされた洗浄液容器３１から洗浄液が供給されており、記録カード３が塗布部材３６を通過する際に、記録カード３の洗浄面に塗布部材３６から洗浄液が塗布される。なお、塗布部材３６の長さは、記録カード３の幅方向の長さよりも大きいため、記録カード３が通過する際に記録カード３の表面全体に洗浄液が塗布される。
【００３３】
塗布部材３６を通過した記録カード３は、突起部１９により洗浄部材４４へと搬送される。洗浄部材４４は、搬送されている記録カード３を押圧しながら回転して、記録カード３の表面に付着した汚れを取り除く。洗浄部材４４の記録カード３の搬送方向下流側にはガイドローラ５０が設けられており、洗浄部材４４を通過した記録カード３は、幅方向の両側の端部近傍をガイドローラ５０により押圧されながら、拭き取り部へと搬送される。
【００３４】
洗浄部材４４、ガイドローラ５０を通過した記録カード３は、先端が拭き取り部の下拭き取りローラ６２と上拭き取りローラ６３との間の隙間に向かって、突起部１９により搬送される。記録カード３が下拭き取りローラ６２と上拭き取りローラ６３との隙間へと進むと、記録カード３の厚さにより、記録カード３は下拭き取りローラ６２と上拭き取りローラ６３に挟持される。そして、記録カード３は、従動ローラ１７によりプーリ１８、ベルト６５、プーリ６４を介して回転駆動されている下拭き取りローラ６２により搬送される。一方、記録カード３の後端に当接して記録カード３を搬送していたベルト１１の突起部１９は、従動ローラ１７に沿って下方向へと回転移動し、記録カード３から離間する。そのため、記録カード３の搬送は、突起部１９から下拭き取りローラ６２による搬送に切り替わる。
【００３５】
記録カード３は、下拭き取りローラ６２により搬送されながら、下拭き取りローラ６２により記録カード３の下面の汚れや付着した洗浄液を拭き取られる。一方、記録カード３の上面の汚れや付着した洗浄液は、上拭き取りローラ６３により拭き取りが行われる。下拭き取りローラ６２と上拭き取りローラ６３により拭き取りが行われた記録カード３は、シュータ７０を滑り、カードスタッカ８０に積層されて収容される。
【００３６】
以上説明したように、本実施形態の記録カード洗浄装置では、記録カード３を搬送するベルト１１は駆動モータ１５により回転駆動され、拭き取り部の記録カード３を搬送する下拭き取りローラ６２は、プーリ１８、６４を介してベルト１１により従動回転する従動ローラ１７の回転により回転する。すなわち、本実施形態の記録カード洗浄装置は、１つの駆動モータ１５により記録カード３を搬送する搬送系を有するシンプルな構成となっている。また、記録カード３を搬送する搬送レール１０の幅は、記録カード３の短手方向の長さに合わせて設定されている。そのため、記録カード３の長手方向の長さに合わせて搬送レール１０の幅を設定する場合と比べ、塗布部材３６の長さや洗浄部材４４の径を小さくすることができるため、記録カード洗浄装置を小型化することができる。
【００３７】
以上、本考案の好ましい実施の形態を説明したが、本考案はこれらに限定されるものではなく、その要旨の範囲内で様々な変形や変更が可能である。例えば、搬送レール１０は、記録カード３の洗浄面と搬送ガイド面１３の高さが同じになるように構成されている。そのため、洗浄する記録カード３の厚さが異なる場合には、記録カード３の洗浄面と搬送ガイド面１３の高さが同じになるようにカード搬送面１２が設けられた搬送レール１０に交換するだけで、対応することが可能となる。また、本実施形態では、２０枚の記録カード３の洗浄が終了すると動作停止する構成となっているが、これ以外の枚数で動作停止させるようにしてもよい。また、例えばベルト１１に設けられた突起部１９の数を増減させることにより、記録カード３の洗浄枚数を変更したり、洗浄時間を可変したりしてもよい。
【００３８】
以上、本実施形態によれば、記録カードの洗浄及び拭き取りを行うシンプルで小型の記録カード洗浄装置を提供することができる。
【符号の説明】
【００３９】
１        筐体
２        スタートボタン
３        記録カード
１０      搬送レール
１１      ベルト
１２      カード搬送面
１３      搬送ガイド面
１４      溝部
１５      駆動モータ
１６      駆動ローラ
１７      従動ローラ
１８      プーリ
１９      突起部
２０      カードホルダ
２１      立ち壁部
３０      容器台
３１      洗浄液容器
３２      コック
３３      ローラクランプ
３４      チューブ
３５      チューブ支持部
３６      塗布部材
４０      モータ
４１      モータ支持板
４２      洗浄支持部
４３      洗浄ローラ
４４      洗浄部材
４５      ねじ
５０      ガイドローラ
６１      拭き取り支持部
６２      下拭き取りローラ
６３      上拭き取りローラ
６４      プーリ
６５      ベルト
７０      シュータ
８０      カードスタッカ
【図１】
0003212530.tif 000003
【図２】
0003212530.tif 000004
【図３】
0003212530.tif 000005
【図４】
0003212530.tif 000006